(57)【要約】【課題】構造物を支持する柱の強度を高めつつ、柱周りの配線を体裁良く整える。【解決手段】カバー付き柱５は、柱本体１０と、柱本体１０の側部を被覆し、柱本体１０に対し着脱可能に設けられたカバー２０を備える。柱本体１０は、柱本体１０の中心部に設けられた芯部１１と、芯部１１の周囲に設けられた環状部１２と、芯部１１と環状部１２を連結するとともに、環状部１２より外側まで延出する複数のアーム１３を有する。カバー２０は、両端に、複数のアーム１３の端部とそれぞれ嵌合する嵌合部を有する。カバー２０と環状部１２との間の空間に配線が収容可能である。【選択図】図２
2020122373.tif 000002
【特許請求の範囲】
【請求項１】
柱本体と、
前記柱本体の側部を被覆し、前記柱本体に対し着脱可能に設けられたカバーと、を備え、
前記柱本体は、
前記柱本体の中心部に設けられた芯部と、
前記芯部の周囲に設けられた環状部と、を有し、
前記カバーと前記環状部との間の空間に配線が収容可能であることを特徴とするカバー付き柱。
【請求項２】
前記柱本体は、
前記芯部と前記環状部を連結するとともに、前記環状部より外側まで延出する複数のアームを有し、
前記カバーは、両端に、前記複数のアームの端部とそれぞれ嵌合する嵌合部を有することを特徴とする請求項１に記載のカバー付き柱。
【請求項３】
前記アームは、Ｕ字状の端部を有し、
前記嵌合部は、前記カバーの外周部と、前記外周部から内側に延出する延出部とからなり、
前記外周部と前記延出部とが、前記Ｕ字状の端部と嵌合することを特徴とする請求項２に記載のカバー付き柱。
【請求項４】
前記カバーの前記外周部は円弧状であることを特徴とする請求項３に記載のカバー付き柱。
【請求項５】
前記柱本体は、それぞれ延出方向が略９０度ずつ異なる４つの前記アームを有し、
前記４つの前記アームのうち隣り合う２つの前記アームとそれぞれ嵌合する４つの前記カバーを備えることを特徴とする請求項２乃至４のいずれかに記載のカバー付き柱。
【請求項６】
前記環状部は、部材を取り付け可能なスリットが形成されることを特徴とする請求項１乃至５のいずれかに記載のカバー付き柱。
【請求項７】
前記スリットは、前記環状部の上端から下端に渡って形成されることを特徴とする請求項６に記載のカバー付き柱。
【請求項８】
前記環状部と前記芯部との間に設けられた、前記スリットの左右を連結する連結部を有することを特徴とする請求項６又は７に記載のカバー付き柱。
【請求項９】
前記カバーは、弾性を有することを特徴とする請求項１乃至８のいずれかに記載のカバー付き柱。
【発明の詳細な説明】
【技術分野】
【０００１】
本発明は、柱本体から着脱可能なカバーを備えるカバー付き柱に関する。
【背景技術】
【０００２】
展示会に設置される構造物には、照明器具、音響機器、表示機器等の各種装置が取り付けられ、これらの装置の配線を目立たないようにすることが必要となる。例えば、下記の特許文献１には、柱の中心体と、中心体から延びるアームに取り付けられるカバーとの間の空間に配線を通すことが可能な柱について開示がなされている。
【先行技術文献】
【特許文献】
【０００３】
【特許文献１】特許第３８４４９８８号公報
【発明の概要】
【発明が解決しようとする課題】
【０００４】
しかしながら、上記の従来技術では、柱の中心体の強度が低く、外部からの力により中心体が撓みやすいため、構造物を支えるのに強度が十分でない。特に、構造物の高さが高くなるとこうした課題がより顕著となる。
【０００５】
本発明は、上記の課題に鑑みてなされたものであり、その目的は、構造物を支える柱の強度を高めつつ、柱周りの配線を体裁良く整えることができるカバー付き柱を提供することにある。
【課題を解決するための手段】
【０００６】
上記の課題は、柱本体と、前記柱本体の側部を被覆し、前記柱本体に対し着脱可能に設けられたカバーと、を備え、前記柱本体は、前記柱本体の中心部に設けられた芯部と、前記芯部の周囲に設けられた環状部と、を有し、前記カバーと前記環状部との間の空間に配線が収容可能であることを特徴とするカバー付き柱により解決される。
上記のカバー付き柱によれば、柱本体の強度を高めつつ、柱本体とカバーとの間に配線を収容することができる。これにより、配線が柱の外部を通らないため、柱周りの配線を体裁良く整えることができる。
また、上記のカバー付き柱では、カバーは柱本体から着脱可能なため、配線作業が容易となる。
【０００７】
また、本発明の一態様では、上記のカバー付き柱において、前記柱本体は、前記芯部と前記環状部を連結するとともに、前記環状部より外側まで延出する複数のアームを有し、前記カバーは、両端に、前記複数のアームの端部とそれぞれ嵌合する嵌合部を有することとする。
こうすることで、配線の収容スペースや柱の外径をアームの長さにより調整できる。
また、上記のカバー付き柱によれば、芯部と環状部が複数のアームにより連結されることで、柱本体の強度を向上できる。
【０００８】
また、本発明の一態様では、上記のカバー付き柱において、前記アームは、Ｕ字状の端部を有し、前記嵌合部は、前記カバーの外周部と、前記外周部から内側に延出する延出部とからなり、前記外周部と前記延出部とが、前記Ｕ字状の端部と嵌合することとする。
こうすることで、簡易な構造によりカバーを柱本体から着脱可能とすることができる。
また、上記のカバー付き柱によれば、カバーと柱本体との着脱作業の負荷を軽減できる。
【０００９】
また、本発明の一態様では、上記のカバー付き柱において、前記カバーの前記外周部は円弧状であることとする。
こうすることで、配線の収容スペースを大きくすることができる。
【００１０】
また、本発明の一態様では、上記のカバー付き柱において、前記柱本体は、それぞれ延出方向が略９０度ずつ異なる４つの前記アームを有し、前記４つの前記アームのうち隣り合う２つの前記アームとそれぞれ嵌合する４つの前記カバーを備えることとする。
こうすることで、配線の収容スペースを４つ設けることができる。これにより、配線の整理がしやすくなる。
また、上記のカバー付き柱によれば、柱本体の強度を向上させることができる。
【００１１】
また、本発明の一態様では、上記のカバー付き柱において、前記環状部は、部材を取り付け可能なスリットが形成されることとする。
こうすることで、カバーと環状部の間の空間に部材を取り付けることができる。
【００１２】
また、本発明の一態様では、上記のカバー付き柱において、前記スリットは、前記環状部の上端から下端に渡って形成されることとする。
こうすることで、環状部の上下方向における任意の位置に部材を取り付けることができる。
【００１３】
また、本発明の一態様では、上記のカバー付き柱において、前記環状部と前記芯部との間に設けられた、前記スリットの左右を連結する連結部を有することとする。
こうすることで、環状部に形成されるスリット近傍の剛性を高めることができる。
【００１４】
また、本発明の一態様では、上記のカバー付き柱において、前記カバーは、弾性を有することとする。
こうすることで、柱本体に対するカバーの着脱が容易となる。また、柱本体からカバーが外れにくくすることができる。
【発明の効果】
【００１５】
本発明によれば、構造物を支える柱の強度を高めつつ、柱周りの配線を体裁良く整えることができる。
【図面の簡単な説明】
【００１６】
【図１】展示構造物の外観図である。
【図２】本実施形態に係るカバー付き柱の斜視図である。
【図３】柱本体の正面図である。
【図４】柱本体の上面図である。
【図５】カバーの上面図である。
【図６】配線を通した状態のカバー付き柱の斜視図である。
【図７】図６のVII-VII断面図である。
【図８】環状部の変形例を説明する図である。
【図９】スリットの変形例を説明する図である。
【発明を実施するための形態】
【００１７】
以下、図１乃至図９を参照しながら、本発明の実施の形態（以下、本実施形態）に係るカバー付き柱５について説明する。なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００１８】
図１には、本実施形態に係るカバー付き柱５を備える展示構造物１の外観図を示した。図１に示されるように、展示構造物１は、環状のオーバーヘッドフレーム２を４つのカバー付き柱５により支持してなるユニットである。なお、カバー付き柱５の上端は、柱取付部３によりオーバーヘッドフレーム２と固定され、カバー付き柱５の下端は、床に載置されたベースプレート４に固定される。
【００１９】
オーバーヘッドフレーム２には、照明装置、表示装置等の機器が取り付けられ、これらの機器の配線は、後述するようにカバー付き柱５を構成する柱本体１０と、柱本体１０を被覆するカバー２０との間を通すことにより、外部に露出しないようになっている。これにより、配線を隠すことができるため、展示構造物１の外観を良好なものとすることができる。
【００２０】
以下、図２乃至図７に基づき、カバー付き柱５の構成の詳細について説明する。まず、各図の概要について説明する。
【００２１】
図２には、カバー付き柱５の一部のカバー２０を取り外した状態のカバー付き柱５の斜視図を示した。図３には、柱本体１０の正面図を、図４には、柱本体１０の上面図（平面図）を示した。図５には、カバー２０の上面図を示した。図６には、配線Ｃを通した状態のカバー付き柱５の斜視図を、図７には図６のVII-VII断面図を示した。
【００２２】
図２に示されるように、カバー付き柱５は、柱本体１０と、カバー２０を備える。カバー２０は、柱本体１０の側部を被覆し、柱本体１０から着脱可能な部材である。なお、本実施形態では、４つのカバー２０により、柱本体１０の周囲を覆うように構成される。
【００２３】
ここで、柱本体１０の構成の詳細について説明する。図２乃至図４に示されるように、柱本体１０は、中心部に設けられた芯部１１と、芯部１１の外側に設けられた環状部１２と、芯部１１と環状部１２とを連結する４つのアーム１３とを備える。なお、本実施形態において「外側」とは、芯部１１からカバー２０に向かう方向であり、その逆方向を「内側」とする。
【００２４】
芯部１１は、柱本体１０の軸方向に延出し、断面が略円環状の部材である。
【００２５】
環状部１２は、芯部１１の周囲において芯部１１から離間して設けられており、芯部１１から放射状に延出するアーム１３により芯部１１と連結している。なお、環状部１２も、芯部１１と同様に、柱本体１０の軸方向に延出し、断面が略円環状の部材である。ただし、図２及び図４に示されるように、環状部１２において、アーム１３の連結箇所の間には、環状部１２の上端から下端に渡ってスリット１２Ａが形成されている。スリット１２Ａには、配線Ｃを纏めるクリップや照明器具等の部材が取付可能となっている。
また、環状部１２においてスリット１２Ａで分断される左右の部分は、芯部１１側に突出するコの字状の連結部１２Ｂにより連結されている。これにより、スリット１２Ａを上端から下端に渡って形成した場合においても環状部１２の強度を高めることができる。
【００２６】
アーム１３は、上述したように、芯部１１から放射状に延出する部材であり、図２及び図４に示されるように、４本のアームはそれぞれ延出方向が９０度ずつ異なっている。なお、各アーム１３の構成は同一であるため、以下では１つのアーム１３の構成について説明する。
【００２７】
アーム１３は、芯部１１から環状部１２を貫いてさらに外側まで延出している。アーム１３の外側端部には、断面が略Ｕ字状のＵ字状端部１３Ａが設けられている。このＵ字状端部１３Ａと、カバー２０の端に形成される嵌合部２３が嵌合することにより、カバー２０が柱本体１０に取り付けられる。ここで、カバー２０の構成について図５を参照しながら説明する。
【００２８】
図５に示されるように、カバー２０は、カバー付き柱５の外周面を構成する外周部２１と、外周部２１から内側に延出する延出部２２とを備える。ここで、外周部２１の端部である外周端部２１Ａと、延出部２２とにより構成される部分を嵌合部２３とする。なお、カバー２０は、合成樹脂等の弾力性のある部材により形成されることとしてよい。
【００２９】
そして、図２、図７に示されるように、カバー２０の嵌合部２３を、Ｕ字状端部１３Ａに対向させて内側に押し込むことにより、嵌合部２３が弾性変形し、嵌合部２３の外周端部２１Ａと延出部２２とがＵ字状端部１３Ａの一端１３Ｂを挟持するようにして、嵌合部２３とＵ字状端部１３Ａとが嵌合する。
一方で、カバー２０を柱本体１０から取り外す際には、カバー２０を外側に引っ張ることにより、嵌合部２３が弾性変形しながら、嵌合部２３とＵ字状端部１３Ａとの嵌合が外れる。これにより、カバー２０を柱本体１０に容易に着脱することができる。
【００３０】
また、アーム１３において、環状部１２とＵ字状端部１３Ａとの間の側面には、取り付け穴部１４が形成される。この取り付け穴部１４は、穴１４Ａ、穴１４Ｂ、及び長穴１４Ｃから構成される。なお、アーム１３の上部に形成された取り付け穴部１４によりオーバーヘッドフレーム２に設けられた柱取付部３に固定される。そして、アーム１３の下部に形成された取り付け穴部１４によりベースプレート４に固定される。こうすることで、カバー付き柱５によりオーバーヘッドフレーム２を安定して支持可能となる。
【００３１】
ここで、図６及び図７を参照しながら、カバー付き柱５に配線を通した使用状態の一例について説明する。
【００３２】
図６及び図７に示されるように、カバー付き柱５の環状部１２と、カバー２０との間の空間に配線Ｃが通される。図６及び図７に示す例では、空間Ｓ１、空間Ｓ２、空間Ｓ３に配線Ｃが通された状態を示している。ここで、各空間に通された配線Ｃについては、クリップ３０により束ねられ、クリップ３０の端部３０Ａがスリット１２Ａを通じて、連結部１２Ｂにより囲まれる空間内に収まるように取り付けられる。これにより、各空間に通された配線Ｃを纏めることができ、配線Ｃの管理が容易となる。
【００３３】
また、図７に示すように、空間Ｓ４のスリット１２Ａには、照明器具４０が取り付けられる。そして、カバー２０を光の透過性がある部材により構成することで、照明器具４０によりカバー付き柱５を光らせることができる。こうすることで、展示構造物１の演出性を高めることができる。
【００３４】
以上説明したカバー付き柱５によれば、柱本体１０を、芯部１１と、環状部１２と、芯部１１と環状部１２とを連結するアーム１３とから構成することで、柱本体１０の強度を高めることができる。
また、カバー付き柱５によれば、柱本体１０に着脱可能なカバー２０と、柱本体１０との間に配線を収容することができる。こうすることで、カバー付き柱５周りの配線を体裁良く整えることができる。
また、カバー付き柱５によれば、カバー２０は柱本体１０から着脱可能なため、配線作業を容易とすることができる。
また、カバー付き柱５によれば、アーム１３の長さにより配線の収容スペースやカバー付き柱５の外径を調整できる。
また、カバー付き柱５によれば、カバー２０と柱本体１０とが、カバー２０の嵌合部２３と、アーム１３のＵ字状端部１３Ａが嵌合するように構成したことで、カバー２０の着脱を容易とすることができる。これにより、カバー２０の着脱の作業負荷を軽減できる。
また、カバー２０の外周部２１を円弧状としたことで、配線の収容スペースを大きくすることができる。
また、４つのアーム１３及びカバー２０を設けたことで、カバー２０と環状部１２とにより構成される配線の収容スペースを４つ設けることができる。これにより、異なる種類の配線を別々の収容スペースに配置可能となるため、配線の整理がしやすくなる。
また、アーム１３をバランスよく配置したことで柱本体１０の強度を向上させることができる。
また、環状部１２に、配線を束ねるクリップ３０を取付可能なスリット１２Ａを設けたことで、配線の整理がしやすくなる。
また、環状部１２に、照明器具４０を取付可能なスリット１２Ａを設けたことで、カバー付き柱５を内部から光らせることができる。これにより、展示構造物１の演出性を向上できる。
また、スリット１２Ａを環状部１２の上端から下端に渡って形成することで、クリップ３０や照明器具４０を上下において任意の位置に取り付けることができる。
また、環状部１２においてスリット１２Ａで分断される左右の部分を連結部１２Ｂにより連結したことで、環状部１２の剛性を高めることができる。
また、カバー２０を、弾性を有する部材により構成することで、カバー２０の柱本体１０からの着脱が容易となる。また、カバー２０を柱本体１０から外れにくくすることができる。
【００３５】
［その他の実施形態］
本発明は、上記の実施形態に限定されるものではない。以下、本発明の他の実施形態について図８及び図９を参照しながら説明する。
【００３６】
図８には、環状部１２の変形例について示した。図８に示されるように、環状部１２に形成される連結部１２Ｂはコの字状に限られるものではなく、連結部１２Ｂａのように円弧状、連結部１２Ｂｂのように三角状、連結部１２Ｂｃのように細長い矩形状のように各種形状としてもよい。また、図８に示されるように連結部１２Ｂを設けないようにしても構わない。
【００３７】
また、図９には、スリット１２Ａの変形例について示した。上述した実施形態においては、スリット１２Ａは上端から下端に渡って設けることとしたが、図９に示されるように、複数のスリット１２Ａａを上下に所定の間隔を空けて形成することとしてもよい。この場合には、図９に示されるように、連結部１２Ｂを設けなくともよいが、連結部１２Ｂを設けることとしても構わない。また、複数のスリット１２Ａａを左右にずらして形成することとしても構わない。なお、スリット１２Ａａの大きさや数は図示した例に限られるものでないのはもちろんである。
【００３８】
また、環状部１２は円環形状に限らず、多角形状であってもよい。また、アーム１３は４つに限られず、２以上の任意の数としてもよい。
【符号の説明】
【００３９】
１  展示構造物
２  オーバーヘッドフレーム
３  柱取付部
４  ベースプレート
５  カバー付き柱
１０  柱本体
１１  芯部
１２  環状部
１２Ａ  スリット
１２Ａａ  スリット
１２Ｂ  連結部
１２Ｂａ  連結部
１２Ｂｂ  連結部
１２Ｂｃ  連結部
１３  アーム
１３Ａ  Ｕ字状端部
１３Ｂ  一端
１４  取り付け穴部
１４Ａ  穴
１４Ｂ  穴
１４Ｃ  長穴
２０  カバー
２１  外周部
２１Ａ  外周端部
２２  延出部
２３  嵌合部
３０  クリップ
３０Ａ  端部
４０  照明器具
Ｃ  配線
Ｓ１  空間
Ｓ２  空間
Ｓ３  空間
Ｓ４  空間
【図１】
2020122373.tif 000003
【図２】
2020122373.tif 000004
【図３】
2020122373.tif 000005
【図４】
2020122373.tif 000006
【図５】
2020122373.tif 000007
【図６】
2020122373.tif 000008
【図７】
2020122373.tif 000009
【図８】
2020122373.tif 000010
【図９】
2020122373.tif 000011